(57)【要約】【課題】携帯電子機器の内部の充電池の充電及びその外部の充電池の充電を同時に行える携帯電子機器充電セットを提供する。【解決手段】携帯電子機器１と充電台９００を備える携帯電子機器充電セットＵであって、携帯電子機器１は、筐体２と、第１充電池Ｐ１と、第１充電池Ｐ１を収容可能な収容部と、外部電源Ｑ１からの電流を出力し、収容部に収容される第１充電池Ｐ１を充電する充電回路５４と、充電回路５４の出力側に接続されて筐体２の外部に配置される第２充電池Ｐ２に電気的に接続可能に配置される外部充電池用出力端子とを備え、充電台９００は、携帯電子機器１を搭載可能な第１搭載部と、第２充電池Ｐ２を搭載可能な第２搭載部と、第１搭載部に搭載された携帯電子機器１における充電回路５４に外部電源Ｑ１からの電流を供給する第１接続部と、第２搭載部に搭載された第２充電池Ｐ２に外部充電池用出力端子からの電流を供給する第２接続部とを備える。【選択図】図７
2009240002.tif 000002
【特許請求の範囲】
【請求項１】
携帯電子機器と該携帯電子機器における充電池に充電を行う充電台とを備える携帯電子機器充電セットであって、
前記携帯電子機器は、
筐体と、
第１充電池と、
該第１充電池を収容可能な収容部と、
外部電源からの電流を出力し、前記収容部に収容される前記第１充電池を充電する充電回路と、
前記充電回路の出力側に接続されて、前記筐体の外部に配置される第２充電池に電気的に接続可能に配置される外部充電池用出力端子と、を備え、
前記充電台は、
前記携帯電子機器を搭載可能な第１搭載部と、
前記第２充電池を搭載可能な第２搭載部と、
前記第１搭載部に搭載された前記携帯電子機器における前記充電回路に外部電源からの電流を供給する第１接続部と、
前記第２搭載部に搭載された前記第２充電池に前記外部充電池用出力端子からの電流を供給する第２接続部と、を備える携帯電子機器充電セット。
【請求項２】
筐体と、
第１充電池と、
該第１充電池を収容可能な収容部と、
外部電源からの電流を出力し、前記収容部に収容される前記第１充電池を充電する充電回路と、
前記充電回路の出力側に接続されて、前記筐体の外部に配置される第２充電池に電気的に接続可能に配置される外部充電池用出力端子と、を備えた携帯電子機器。
【請求項３】
請求項１または請求項２に記載の携帯電子機器を搭載可能な第１搭載部と、
前記第２充電池を搭載可能な第２搭載部と、
前記第１搭載部に搭載された前記携帯電子機器における前記充電回路に外部電源からの電流を供給する第１接続部と、
前記第２搭載部に搭載された前記第２充電池に前記外部充電池用出力端子からの電流を供給する第２接続部と、を備えた充電台。
【請求項４】
前記第１搭載部と前記第２搭載部との間に隔離壁を備える請求項３に記載の充電台。
【請求項５】
第１凹部と、開口部が該第１凹部の内壁に位置する第２凹部とを備え、
前記第１搭載部は前記第１凹部内に配置され、前記第２搭載部は前記第２凹部内に配置される請求項３に記載の充電台。
【請求項６】
前記第２搭載部に搭載された前記第２充電池は、前記第１搭載部に搭載された前記携帯電子機器によって前記第２接続部側に押圧されるように構成されている請求項３または請求項５に記載の充電台。
【発明の詳細な説明】
【技術分野】
【０００１】
本発明は、携帯電話機などの携帯電子機器、該携帯電子機器における充電池に充電を行う充電台、並びに該携帯電子機器及び該充電台を備える携帯電子機器充電セットに関する。
【背景技術】
【０００２】
従来から、携帯電話機などの携帯電子機器の内部には充電池が搭載されており、携帯電子機器を充電台（充電器）の所定位置に載置することにより、充電池への充電が行われている。また、充電台は、商用電源電圧を変圧する変圧部と、変圧されたＡＣ電流をＤＣ電流に整流する直流変換部と、ＤＣ電流を使用して充電池を充電する充電部とを備えた充電回路を備えている（例えば、下記特許文献１，２参照）。
【０００３】
また、充電回路を内蔵した携帯電子機器が知られている。このような構成の携帯電子機器によれば、携帯電子機器自体に商用電源を直接接続することができる。従って、充電回路を内蔵した携帯電子機器用の充電台は、充電回路を内蔵しておらず、充電機能を有していない場合が多い。
【０００４】
【特許文献１】特開平４−１２７８４８号公報
【特許文献２】特開平５−３１６６６８号公報
【発明の開示】
【発明が解決しようとする課題】
【０００５】
充電機能を有していない充電台を用いて、充電回路を内蔵した携帯電子機器における充電池に充電を行う場合には、携帯電子機器の内部に充電池を搭載した状態としないと、充電池に充電を行うことができない。従って、携帯電子機器の内部に搭載された充電池及び携帯電子機器の外部に配置する充電池の充電を同時に行うことができない。
【０００６】
従って、本発明は、携帯電子機器の内部に搭載された充電池の充電及び携帯電子機器の外部に配置する充電池の充電を同時に行うことができる携帯電子機器及び充電台、並びに該携帯電子機器及び該充電台を備える携帯電子機器充電セットを提供することを目的とする。
【課題を解決するための手段】
【０００７】
本発明は、携帯電子機器と該携帯電子機器における充電池に充電を行う充電台とを備える携帯電子機器充電セットであって、前記携帯電子機器は、筐体と、第１充電池と、該第１充電池を収容可能な収容部と、外部電源からの電流を出力し、前記収容部に収容される前記第１充電池を充電する充電回路と、前記充電回路の出力側に接続されて、前記筐体の外部に配置される第２充電池に電気的に接続可能に配置される外部充電池用出力端子と、を備え、前記充電台は、前記携帯電子機器を搭載可能な第１搭載部と、前記第２充電池を搭載可能な第２搭載部と、前記第１搭載部に搭載された前記携帯電子機器における前記充電回路に外部電源からの電流を供給する第１接続部と、前記第２搭載部に搭載された前記第２充電池に前記外部充電池用出力端子からの電流を供給する第２接続部と、を備える携帯電子機器充電セットに関する。
【０００８】
また、本発明は、筐体と、第１充電池と、該第１充電池を収容可能な収容部と、外部電源からの電流を出力し、前記収容部に収容される前記第１充電池を充電する充電回路と、前記充電回路の出力側に接続されて、前記筐体の外部に配置される第２充電池に電気的に接続可能に配置される外部充電池用出力端子と、を備えた携帯電子機器に関する。
【０００９】
また、本発明は、前記携帯電子機器を搭載可能な第１搭載部と、前記第２充電池を搭載可能な第２搭載部と、前記第１搭載部に搭載された前記携帯電子機器における前記充電回路に外部電源からの電流を供給する第１接続部と、前記第２搭載部に搭載された前記第２充電池に前記外部充電池用出力端子からの電流を供給する第２接続部と、を備えた充電台に関する。
【００１０】
また、前記第１搭載部と前記第２搭載部との間に隔離壁を備えることが好ましい。
【００１１】
また、第１凹部と、開口部が該第１凹部の内壁に位置する第２凹部とを備え、前記第１搭載部は前記第１凹部内に配置され、前記第２搭載部は前記第２凹部内に配置されることが好ましい。
【００１２】
また、前記第２搭載部に搭載された前記第２充電池は、前記第１搭載部に搭載された前記携帯電子機器によって前記第２接続部側に押圧されるように構成されていることが好ましい。
【発明の効果】
【００１３】
本発明によれば、携帯電子機器の内部に搭載された充電池の充電及び携帯電子機器の外部に配置する充電池の充電を同時に行うことができる。
【発明を実施するための最良の形態】
【００１４】
以下、図面を参照して、本発明を実施するための最良の形態について説明する。
図１から図４により、第１実施形態の携帯電子機器充電セットＵ及びこれを構成する携帯電子機器としての携帯電話機１及び充電台９００について説明する。図１は、第１実施形態の携帯電子機器充電セットＵについて、充電台９００に携帯電話機１が載置された状態を示す斜視図である。図２は、携帯電話機１が載置されていない充電台９００を示す斜視図である。図３は、携帯電話機１が載置される過程における充電台９００を示す斜視図である。図４は、図１に示す携帯電話機１を背面側から視た斜視図である。
【００１５】
図１から図３に示すように、第１実施形態の携帯電子機器充電セットＵは、携帯電子機器としての携帯電話機１と、携帯電話機１における第１充電池Ｐ１（図５参照）及び第２充電池Ｐ２（図７参照）に充電を行う充電台９００とを備える。充電台９００は、携帯電話機１が載置可能に構成される。詳細には、充電台９００は、携帯電話機１を搭載可能な第１搭載部７００を備えており、第１搭載部７００に携帯電話機１を搭載（載置）することができる。
【００１６】
図１及び図４に示すように、第１実施形態における携帯電話機１は、操作部側筐体２と、表示部側筐体３と、連結部４とを有し、折り畳み可能に構成される。携帯電話機１は、折り畳んだ状態（閉状態）において矩形状になるように構成される。
携帯電話機１は、例えば、折り畳んだ状態において内面側に配置される不図示の操作ボタン群と、携帯電話機１の使用者が通話時に発した音声が入力される音声入力部と、各種情報を表示するためのメインディスプレイと、通話の相手側の音声を出力する音声出力部と、折り畳んだ状態で外面側に配置される、外部機器（例えば、ホスト装置）と通信を行うためのインターフェースと、を有する。
【００１７】
また、図４に示すように、携帯電話機１は、第１充電池Ｐ１及び／又は第２充電池Ｐ２に充電をする際の被接触端子として機能する一対の充電用入力端子５２を有する。また、携帯電話機１は、第２充電池Ｐ２に充電をする際の被接触端子として機能する一対の第２充電池用出力端子５１を有する。充電用入力端子５２及び第２充電池用出力端子５１は、操作部側筐体２の背面（操作キー群等とは反対側の面であって、折り畳んだ状態において外面側に配置される面）２ｂに設けられる。
【００１８】
次に、第１実施形態の携帯電子機器充電セットＵにおける充電に係る構成について説明する。図５は、図４に示す携帯電話機１について第１充電池用蓋２３を外した状態を示す斜視図である。図６は、図５に示す第１充電池用コネクタ５３を示す斜視図である。図７は、第１実施形態の携帯電子機器充電セットＵにおける回路ブロック図である。図８は、図２に示す充電台９００を底面側から視た斜視図である。図９は、充電台９００に携帯電話機１が載置された状態における携帯電子機器充電セットＵの模式的断面図である。
【００１９】
図５から図９に示すように、携帯電話機１は、操作部側筐体２と、第１充電池Ｐ１と、第１充電池Ｐ１を収容可能な収容部６と、充電回路５４と、外部充電池用出力端子である一対の第２充電池用出力端子５１と、を備えている。充電回路５４は、外部電源Ｑ１からの電流を出力し、収容部６に収容される第１充電池Ｐ１を充電する。一対の第２充電池用出力端子５１は、充電回路５４の出力側に接続されて、操作部側筐体２の外部に配置される第２充電池Ｐ２に電気的に接続可能に配置される。
【００２０】
また、図２に示すように、充電台９００は、その外形を構成する充電台筐体８００を有する。充電台筐体８００の外面における上面側には、携帯電話機１を搭載可能な第１搭載部７００が形成される。図１から図３及び図７に示すように、第１搭載部７００に搭載された状態における携帯電話機１は、外部電源Ｑ１から供給される電力によって充電される。外部電源Ｑ１と携帯電話機１とは、ＡＣアダプタＱ２、コネクタ９９０等を介して電気的に接続される。
【００２１】
図１から図３、図７から図９などに示すように、充電台９００は、携帯電話機１を搭載可能な第１搭載部７００と、第２充電池Ｐ２を搭載可能な第２搭載部８２０と、第１搭載部７００に搭載された携帯電話機１における充電回路５４に外部電源Ｑ１からの電流を供給する第１接続部７２２と、第２搭載部８２０に搭載された第２充電池Ｐ２に第２充電池用出力端子５１からの電流を供給する第２接続部８３０と、を備えている。
【００２２】
なお、以下の説明において、操作部側筐体２における収容部６に収容されて充電される充電池を「第１充電池Ｐ１」といい、充電台９００の第２搭載部８２０に搭載されて充電される充電池を「第２充電池Ｐ２」という。第１充電池Ｐ１と第２充電池Ｐ２とは、充電の際に配置される位置によって説明の便宜上区別するものであり、その構成自体は実質的に同じものである。つまり、実質的に同じ構成を有する充電池Ｐについて、操作部側筐体２の収容部６に収容されて充電されるものを「第１充電池Ｐ１」といい、充電台９００の第２搭載部８２０に搭載されて充電されるものを「第２充電池Ｐ２」という。また、第１充電池Ｐ１及び第２充電池Ｐ２に共通する説明を行う際には、「充電池Ｐ」の表現を用いることにする。
【００２３】
改めて、携帯電話機１について説明すると、図５に示すように、収容部６は、操作部側筐体２における第１充電池Ｐ１が収納される部位であり、略直方体形状の第１充電池Ｐ１とほぼ同じ形状及び大きさの凹部形状を有している。収容部６は、第１充電池用蓋２３を操作部側筐体２の背面２ｂ側から取り外すことによって露出される。
収容部６には、その一側面に近接して、第１充電池用コネクタ５３が配置されている。図６に示すように、第１充電池用コネクタ５３は、収容部６の内側に向けて突出する第１充電池用出力端子５３ａを備える。
【００２４】
前述したように、第１充電池Ｐ１及び第２充電池Ｐ２は、構成的には実質的に同じものであるため、第１充電池Ｐ１及び第２充電池Ｐ２の図示を参照しながら、充電池Ｐの構成について説明する。
図５及び図８に示すように、充電池Ｐは略直方体形状を有している。なお、充電池Ｐの厚み方向とは、充電池Ｐが収容部６に収納された状態において、操作部側筐体２の厚み方向と一致する方向をいう。
充電池Ｐにおける第１側面Ｐ０１には、第１充電池用コネクタ５３及び第２接続部８３０（詳細は後述）の形状に応じて凹んだコネクタ用凹部Ｐ０２が形成されている。コネクタ用凹部Ｐ０２の底部に、一対の充電池入力端子Ｐ０３が設けられている。
【００２５】
一対の充電池入力端子Ｐ０３は、操作部側筐体２の収容部６に充電池Ｐ（第１充電池Ｐ１）が収納された状態において、第１充電池用コネクタ５３における一対の第１充電池用出力端子５３ａに当接して電気的に導通可能となる。
また、一対の充電池入力端子Ｐ０３は、充電台９００の第２搭載部８２０に充電池Ｐ（第２充電池Ｐ２）が搭載された状態において、第２接続部８３０における一対の第２充電池用入力端子８３１（詳細は後述）に当接して電気的に導通可能となる。
【００２６】
充電回路５４は、外部電源Ｑ１からの電流を出力し、収容部６に収容される第１充電池Ｐ１を充電する回路であり、操作部側筐体２に内蔵された回路基板（図示せず）に設けられる。
【００２７】
次に、充電台９００の詳細な構成について説明する。
図２に示すように、第１搭載部７００は、底面部７１０と、充電台筐体８００における長手方向Ｘの一端側（Ｘ１側）に形成される第１保持部７３０と、該長手方向Ｘの他端側（Ｘ２側）に形成される第２保持部７４０とを有して構成される。
【００２８】
第１保持部７３０は、第１搭載部７００の長手方向Ｘの一端側（Ｘ１側）に底面部７１０から立ち上がるように形成される壁状の部分である。第１保持部７３０における第１搭載部７００側の側面は、携帯電話機１の外形に合わせた形状に形成される。そして、第１保持部７３０の上部には、第１搭載部７００の長手方向Ｘの他端側（Ｘ２側）に突出する係合部７３０ａが配設される。この係合部７３０ａは、第１搭載部７００に閉状態の携帯電話機１が搭載された場合に、操作部側筐体２の長手方向Ｘの一端側（Ｘ１側）の端部を支持するように形成されている。また、第１保持部７３０における第１搭載部７００側の側面には、突出部開口７３１が形成される。突出部開口７３１には、突出部７３３が突出可能に設けられる。
【００２９】
突出部７３３は、突出部開口７３１から突出可能であると共に、長手方向Ｘの一端側（Ｘ１側）に移動可能に構成される。具体的には、図１及び図３に示すように、突出部７３３は、第１搭載部７００に携帯電話機１が搭載された場合に、携帯電話機１の長手方向Ｘの一端側（Ｘ１側）に押圧されることにより、充電台筐体８００の内部側であって長手方向Ｘの一端側（Ｘ１側）側に移動可能に構成される。
【００３０】
第２保持部７４０は、第１搭載部７００の長手方向Ｘの他端側（Ｘ２側）に底面部７１０から立ち上がるように形成される壁状の部分である。第２保持部７４０における第１搭載部７００側の側面には、支持部開口７４１が形成される。支持部開口７４１には、支持部７４３が突出可能に設けられる。そして、支持部７４３は、充電台筐体８００内に配設されている付勢部材（図示せず）によって支持部開口７４１から充電台筐体８００の長手方向Ｘの一端側（Ｘ１側）に付勢されている。
【００３１】
支持部７４３は、突出部７３３と対向して配置される。また、支持部７４３は、支持部開口７４１から突出可能であると共に、前記付勢部材の付勢力に抗して長手方向Ｘにおける他端側（Ｘ２側）に移動可能に構成される。具体的には、支持部７４３は、第１搭載部７００に携帯電話機１が搭載された場合、充電台筐体８００の内部側であって長手方向Ｘの他端側（Ｘ２側）に移動可能に構成される。そして、支持部７４３は、前記付勢部材による付勢力によって支持部開口７４１から突出した部分が、携帯電話機１における長手方向Ｘの他端側（Ｘ２側）の端部に形成された係合孔に係合される。そして、支持部７４３は、突出部７３３及び係合部７３０ａと共に、第１搭載部７００に搭載された携帯電話機１を保持する。
【００３２】
図３に示すように、第１接続部７２２は、第１搭載部７００に搭載された携帯電話機１における充電回路５４に外部電源Ｑ１からの電流を供給する部位であり、一対の第１端子開口７２０及び一対の第１給電端子７２１を主体として構成される。
【００３３】
底面部７１０には、一対の第１端子開口７２０及び一対の第２端子開口７５０が形成される。
一対の第１端子開口７２０は、第１搭載部７００に搭載された携帯電話機１の外面に配置される一対の充電用入力端子５２に対向する位置に形成される。第１端子開口７２０には、接触端子部としての第１給電端子７２１が突出可能に設けられる。
また、第２端子開口７５０は、第１搭載部７００に搭載された携帯電話機１の外面に配置される第２充電池用出力端子５１に対向する位置に形成される。第２端子開口７５０には、接触端子部としての第２給電端子７５１が突出可能に設けられる。
【００３４】
第１給電端子７２１及び第２給電端子７５１は、突出部７３３の出没に連動して移動するように構成される。具体的には、第１給電端子７２１は、突出部７３３が充電台筐体８００の内部側（長手方向ＸのＸ１側）に移動されることで、第１端子開口７２０を介して充電台筐体８００の内部から充電台筐体８００の外部に突出するように構成される。そして、第１搭載部７００に携帯電話機１が搭載されることで、一対の第１給電端子７２１が一対の第１端子開口７２０を介して底面部７１０から突出すると共に、突出した一対の第１給電端子７２１に一対の充電用入力端子５２が接触した状態となる。
【００３５】
また、一対の第２給電端子７５１は、突出部７３３が充電台筐体８００の内部側（長手方向ＸのＸ１側）に移動されることで、一対の第２端子開口７５０を介して充電台筐体８００の内部から充電台筐体８００の外部に突出されるように構成される。そして、第２搭載部８２０に第２充電池Ｐ２が載置されることで、一対の第２給電端子７５１が一対の第２端子開口７５０を介して底面部７１０から突出すると共に、突出した一対の第２給電端子７５１に第２充電池用出力端子５１が接触した状態となる。
【００３６】
図８及び図９に示すように、充電台筐体８００の底面側には、第２搭載部８２０が形成される。詳述すると、第２搭載部８２０は、充電台筐体８００の底面側を形成する第２ケース部材８００Ｂが、充電台筐体８００の上面側の形成する第１ケース部材８００Ａ側に凹んで形成される。第２搭載部８２０の底壁（充電台筐体８００の上面側の壁）は、第１搭載部７００と第２搭載部８２０との間に位置し、隔離壁８２１として機能する。
【００３７】
第２搭載部８２０には、第２接続部８３０が設けられる。図８に示すように、第２接続部８３０は、第２搭載部８２０の側壁８２０ａに、第２搭載部８２０の内部側に突出する基台部８３２と、基台部８３２から突出する一対の第２充電池用入力端子８３１とから構成される。
【００３８】
図９に示すように、一対の第２充電池用入力端子８３１は、操作部側筐体２における一対の第２充電池用出力端子５１に電気的に接続されている。なお、図９においては、第２充電池用入力端子８３１は、充電台９００の底面方向に突出しているように図示されているが、図８に示すように、第２搭載部８２０の内側に向けて（充電台９００の底面方向と交差する方向に）突出させてもよい。
【００３９】
第２充電池Ｐ２は、コネクタ用凹部Ｐ０２に第２接続部８３０を位置合わせした状態で、第２搭載部８２０に搭載される。第２接続部８３０は、第２搭載部８２０に搭載された第２充電池Ｐ２における充電池入力端子Ｐ０３に、第２充電池用出力端子５１からの電流を供給する。
【００４０】
充電台９００は、コネクタ９９０を介して供給された電力を、第１給電端子７２１に出力する電子部品などが実装された回路基板（図示せず）を内蔵している。充電台９００は、ＡＣアダプタＱ２を介して外部電源Ｑ１（ＡＣ１００Ｖ、５０Ｈｚ又は６０Ｈｚ）に接続されており、外部電源Ｑ１から供給され、ＡＣアダプタＱ２において交流から直流に変換された直流電流を、操作部側筐体２に内蔵された充電回路５４に供給する。
【００４１】
充電台９００の第１搭載部７００に携帯電話機１を搭載すると共に充電台９００の第２搭載部８２０に第２充電池Ｐ２を搭載すると、携帯電話機１の収容部６に収容された第１充電池Ｐ１、及び第２搭載部８２０に搭載された第２充電池Ｐ２に充電が行われる。
つまり、充電回路５４は、充電台９００から供給される直流電流に基づいて、定電流定電圧方式により第１充電池Ｐ１に対して充電を行う。また、充電回路５４は、充電台９００の第２搭載部８２０に搭載されている第２充電池Ｐ２に対しても充電を行う。
【００４２】
第１実施形態の携帯電子機器充電セットＵにおいては、以下のようにして第１充電池Ｐ１及び第２充電池Ｐ２に充電が行われる。充電台９００における第１搭載部７００に携帯電話機１が搭載されると共に、第２搭載部８２０に第２充電池Ｐ２が搭載される。ここで、図３に示すように、第１搭載部７００においては、携帯電話機１における一端側を突出部７３３に当接させると共に、突出部７３３を充電台筐体８００の内部側（長手方向ＸにおけるＸ１側）に押し込むようにして第１搭載部７００に携帯電話機１を搭載する。突出部７３３が押し込まれることで、一対の第１給電端子７２１及び一対の第２給電端子７５１が底面部７１０から突出する。
【００４３】
続けて、図１に示すように、携帯電話機１における突出部７３３に当接した側と反対側の端部を第１搭載部７００における底面部７１０側に移動させて、携帯電話機１を第１搭載部７００に載置する。このように携帯電話機１を載置することで、一対の第１端子開口７２０を介して底面部７１０から突出した一対の第１給電端子７２１が、携帯電話機１における第１端子開口７２０に対向した位置に配設されている充電用入力端子５２に当接する。また、一対の第２端子開口７５０を介して底面部７１０から突出した一対の第２給電端子７５１が、携帯電話機１における第２端子開口７５０に対向した位置に配設されている第２充電池用出力端子５１に当接する。
そして、第１搭載部７００に携帯電話機１が載置されてから所定時間後、充電台９００による充電が開始される。
【００４４】
具体的には、充電回路５４は、充電台９００の第１接続部７２２の第１給電端子７２１及び操作部側筐体２の充電用入力端子５２を介して充電回路５４に入力された電流を、第１充電池用コネクタ５３の第１充電池用出力端子５３ａ及び第１充電池Ｐ１の充電池入力端子Ｐ０３を介して第１充電池Ｐ１に給電し、充電を行う。
また、充電回路５４は、充電台９００の第１接続部７２２の第１給電端子７２１及び操作部側筐体２の充電用入力端子５２を介して充電回路５４に入力された電流を、操作部側筐体２の第２充電池用出力端子５１、第２接続部８３０の第２充電池用入力端子８３１及び第２充電池Ｐ２の充電池入力端子Ｐ０３を介して、第２充電池Ｐ２に給電し、充電を行う。
【００４５】
なお、第１充電池及び第２充電池への給電は、同じ給電量で行うことができる。あるいは所定の制御回路を設けて、一方の充電池のみに優先的に給電することもできる。
【００４６】
以上の構成を有する第１実施形態の携帯電子機器充電セットＵによれば、以下の効果が奏される。
第１実施形態の携帯電子機器充電セットＵにおいては、外部電源Ｑ１からの電流を出力し、収容部６に収容される第１充電池Ｐ１を充電する充電回路５４と、充電回路５４の出力側に接続されて、操作部側筐体２の外部に配置される第２充電池Ｐ２に電気的に接続可能に配置される第２充電池用出力端子５１と、を備えており、また、充電台９００は、携帯電話機１を搭載可能な第１搭載部７００と、第２充電池Ｐ２を搭載可能な第２搭載部８２０と、第１搭載部７００に搭載された携帯電話機１における充電回路５４に外部電源Ｑ１からの電流を供給する第１接続部７２２と、第２搭載部８２０に搭載された第２充電池Ｐ２に第２充電池用出力端子５１からの電流を供給する第２接続部８３０と、を備える。
【００４７】
そのため、充電台９００に充電回路が設けられていなくても、携帯電話機１に設けられた充電回路５４を活用して、充電台９００の第２搭載部８２０に搭載された第２充電池Ｐ２に充電を行うことができる。その結果、携帯電話機１の内部に搭載された第１充電池Ｐ１の充電及び携帯電話機１の外部に配置する第２充電池Ｐ２の充電を同時に行うことができる。
【００４８】
また、第１搭載部７００と第２搭載部８２０との間に隔離壁８２１を備えるため、携帯電話機１における端子と、第２充電池Ｐ２における端子とが短絡する可能性を低減させることができる。
【００４９】
また、第２搭載部８２０は、隔離壁８２１を挟んで、充電台９００における第１搭載部７００とは反対側に位置するため、ユーザが充電池Ｐを３個以上所有する場合に、携帯電話機１を充電台９００の第１搭載部７００に搭載した状態のまま（取り外すことなく）、１個目の第２充電池Ｐ２の充電を行った後、その第２充電池Ｐ２を取り外し、その代わりに、２個目の第２充電池Ｐ２を第２搭載部８２０に搭載して充電を行うことができる。つまり、充電作業の効率化を図ることができる。
【００５０】
次に、本発明の他の実施形態について説明する。他の実施形態については、主として、第１実施形態とは異なる点を説明し、第１実施形態と同様の構成について同じ符号を付し（更に「’」又は「”」を付し）、説明を省略する。他の実施形態について特に説明しない点については、第１実施形態についての説明が適宜適用される。他の実施形態においても、第１実施形態と同様の効果が奏される。
【００５１】
図１０から図１２を参照しながら、第２実施形態における携帯電話機１’について説明する。図１０は、第２実施形態における携帯電話機１’を背面側から視た斜視図（図４対応図）である。図１１は、図１０に示す携帯電話機１’について第１充電池用蓋２３を外した状態を示す斜視図（図５対応図）である。図１２は、図１１に示す第１充電池用コネクタ５３’を示す斜視図（図６対応図）である。
【００５２】
図１０から図１２に示すように、第２実施形態における携帯電話機１’は、第１実施形態における携帯電話機１に比して、第２充電池用出力端子５１’が、第１充電池用コネクタ５３’に設けられている点が主として異なる。その他の構成は、第１実施形態と同様である。
【００５３】
第２充電池用出力端子５１’は、第１充電池用コネクタ５３’のハウジングに開口部５３ｂを設け、第１充電池用出力端子５３ａに導通する金属部材の一部を露出させることにより形成することができる。また、第１充電池用蓋２３’には、一対の第２充電池用出力端子５１’に対応する位置に一対の開口部２３ａが設けられる。
第２実施形態における携帯電話機１’に対応する充電台（図示せず）においては、前述した第１実施形態における充電台９００に比して、第２給電端子が、第２充電池用出力端子５１’に対応する位置に設けられる。
【００５４】
次に、図１３を参照しながら、第３実施形態の携帯電子機器充電セットＵ”について説明する。図１３は、第３実施形態の携帯電子機器充電セットＵ”の模式的断面図（図９対応図）である。
【００５５】
図１３に示すように、第３実施形態における携帯電話機１”は、第１実施形態における携帯電話機１に比して、第１搭載部７００及び第２搭載部８２０がいずれも充電台９００の上面側に位置する点が主として異なる。その他の構成は、第１実施形態と同様である。
【００５６】
図１３に示すように、第３実施形態における充電台９００”は、その上面側に、上面側に向けて開口する第１凹部７６１と上面側に向けて開口する第２凹部７６２とを備える。第１凹部７６１は、携帯電話機１の一部又は全体を収容し得る大きさを有している。第２凹部７６２は、第２充電池Ｐ２”の一部又は全体を収容し得る大きさを有している。第２凹部７６２の開口部７６２ａは、第１凹部７６１の底壁７６１ｂに位置する。
【００５７】
そして、第１搭載部７００は第１凹部７６１内に配置され、第２搭載部８２０は第２凹部７６２内に配置される。第１接続部７２２を構成する第１給電端子７２１及び第２給電端子７５１は、第１凹部７６１の底壁７６１ｂに配置される。第２接続部８３０を構成する第２充電池用入力端子８３１は、第２凹部７６２の底壁７６２ｂに配置される。
【００５８】
第２搭載部８２０に第２充電池Ｐ２”が搭載されると共に、第１搭載部７００に携帯電話機１が搭載された状態において、第２充電池Ｐ２”の充電池入力端子Ｐ０３は、第２充電池用入力端子８３１に当接する。また、第２充電池Ｐ２”における第１充電池Ｐ１側の面は、第２凹部７６２の開口部７６２ａから携帯電話機１側に突出し、第１凹部７６１の底壁７６１ｂよりも上方に位置する。
【００５９】
従って、第２搭載部８２０に搭載された第２充電池Ｐ２”は、第１搭載部７００に搭載された携帯電話機１によって第２接続部８３０側に押圧される。つまり、第２充電池Ｐ２”は、携帯電話機１における第２充電池Ｐ２”側の面によって下向きに（つまり第２充電池用入力端子８３１に接近する方向に）押圧される。
【００６０】
なお、第３実施形態においては、第２凹部７６２の開口部７６２ａは、第１凹部７６１の底壁７６１ｂに位置しているが、これに制限されず、第１凹部７６１の側壁７６１ｃに位置していてもよい。つまり、第２凹部７６２の開口部７６２ａは、第１凹部７６１の内壁のどこかに設けられていればよい。「第１凹部７６１の内壁」とは、第１凹部７６１における開口部７６１ａ以外の壁部の全てを意味し、底壁７６１ｂ及び側壁７６１ｃを含む全ての内壁を意味する。
【００６１】
第３実施形態においては、第２充電池Ｐ２”は携帯電話機１によって第２接続部８３０側に押圧されるため、第２充電池Ｐ２”と第２接続部８３０との電気的接触性を向上させることができる。
また、充電台９００における第２凹部７６２の開口部７６２ａは、第１凹部７６１の内壁（底壁７６１ｂ）に位置するため、第２凹部７６２を設けることによる充電台９００の大型化への影響を最小限とすることができる。
【００６２】
以上、本発明の実施形態について説明したが、本発明は前述した実施形態に制限されるものではなく、適宜変更が可能である。
例えば、第２充電池用出力端子（外部充電池用出力端子）５１の位置は、前記実施形態における位置に制限されない。また、第１搭載部７００及び第２搭載部８２０の位置は、前記実施形態における位置に制限されない。
【００６３】
本発明の携帯電子機器は、携帯電話機以外の携帯電子機器に適用することができる。
携帯電話機以外の携帯電子機器としては、例えば、ＰＨＳ（登録商標：Ｐｅｒｓｏｎａｌ  Ｈａｎｄｙ  ｐｈｏｎｅ  Ｓｙｓｔｅｍ）、ポータブルゲーム機、ポータブルナビゲーション装置、ＰＤＡ（Ｐｅｒｓｏｎａｌ  Ｄｉｇｉｔａｌ  Ａｓｓｉｓｔａｎｔ）、ノートパソコン、操作部を備えるＥＬディスプレイ又は液晶ディスプレイが挙げられる。
【図面の簡単な説明】
【００６４】
【図１】第１実施形態の携帯電子機器充電セットＵについて、充電台９００に携帯電話機１が載置された状態を示す斜視図である。
【図２】携帯電話機１が載置されていない充電台９００を示す斜視図である。
【図３】携帯電話機１が載置される過程における充電台９００を示す斜視図である。
【図４】図１に示す携帯電話機１を背面側から視た斜視図である。
【図５】図４に示す携帯電話機１について第１充電池用蓋２３を外した状態を示す斜視図である。
【図６】図５に示す第１充電池用コネクタ５３を示す斜視図である。
【図７】第１実施形態の携帯電子機器充電セットＵにおける回路ブロック図である。
【図８】図２に示す充電台９００を底面側から視た斜視図である。
【図９】充電台９００に携帯電話機１が載置された状態における携帯電子機器充電セットＵの模式的断面図である。
【図１０】第２実施形態における携帯電話機１’を背面側から視た斜視図（図４対応図）である。
【図１１】図１０に示す携帯電話機１’について第１充電池用蓋２３を外した状態を示す斜視図（図５対応図）である。
【図１２】図１１に示す第１充電池用コネクタ５３’を示す斜視図（図６対応図）である。
【図１３】第３実施形態の携帯電子機器充電セットＵ”の模式的断面図（図９対応図）である。
【符号の説明】
【００６５】
１  携帯電話機（携帯電子機器）
２  操作部側筐体（筐体）
３  表示部側筐体
５１  第２充電池用出力端子（外部充電池用出力端子）
５２  充電用入力端子
５３  第１充電池用コネクタ
５３ａ  第１充電池用出力端子
５４  充電回路
６  収容部
７００  第１搭載部
７２０  第１端子開口
７２１  第１給電端子
７２２  第１接続部
７５０  第２端子開口
７５１  第２給電端子
８００  充電台筐体
８２０  第２搭載部
８２１  隔離壁
８３０  第２接続部
８３１  第２充電池用入力端子
９００  充電台
Ｐ  充電池
Ｐ０３  充電池入力端子
Ｐ１  第１充電池
Ｐ２  第２充電池
Ｑ１  外部電源
Ｕ  携帯電子機器充電セット
【図１】
2009240002.tif 000003
【図２】
2009240002.tif 000004
【図３】
2009240002.tif 000005
【図４】
2009240002.tif 000006
【図５】
2009240002.tif 000007
【図６】
2009240002.tif 000008
【図７】
2009240002.tif 000009
【図８】
2009240002.tif 000010
【図９】
2009240002.tif 000011
【図１０】
2009240002.tif 000012
【図１１】
2009240002.tif 000013
【図１２】
2009240002.tif 000014
【図１３】
2009240002.tif 000015